(57)【要約】【課題】面倒な操作を行うことなく、商品探索依頼に対して商品の推薦を行うだけで自動的にアフィリエイトの設定を行う。【解決手段】ユーザ端末から商品探索の依頼投稿を受け付ける依頼投稿受付手段と、他のユーザ端末から前記依頼投稿に対する推薦投稿を受け付け、当該推薦投稿に含まれる商品ページアドレスに、推薦投稿を行ったユーザの識別子を含む追跡用情報を埋め込む推薦投稿受付手段と、前記推薦投稿に含まれる商品ページアドレスが示す商品ページを介した購入実績を前記追跡用情報により識別し、前記推薦投稿を行ったユーザに報酬を付与するアフィリエイト管理手段とを備える。【選択図】図１
2011003172.tif 000002
【特許請求の範囲】
【請求項１】
ユーザ端末から商品探索の依頼投稿を受け付ける依頼投稿受付手段と、
他のユーザ端末から前記依頼投稿に対する推薦投稿を受け付け、当該推薦投稿に含まれる商品ページアドレスに、推薦投稿を行ったユーザの識別子を含む追跡用情報を埋め込む推薦投稿受付手段と、
前記推薦投稿に含まれる商品ページアドレスが示す商品ページを介した購入実績を前記追跡用情報により識別し、前記推薦投稿を行ったユーザに報酬を付与するアフィリエイト管理手段と
を備えたことを特徴とする商品探索掲示板装置。
【請求項２】
前記推薦投稿受付手段は、
前記推薦投稿および前記追跡用情報が埋め込まれた商品ページアドレスに対するリンクを含む記事閲覧ページをユーザ端末に表示させることを特徴とする請求項１に記載の商品探索掲示板装置。
【請求項３】
前記推薦投稿受付手段は、
前記追跡用情報が埋め込まれた商品ページアドレスを、携帯端末が備えるコード読取手段により読み取り可能なコードに変換し、その変換されたコードを含む記事閲覧ページをユーザ端末に表示させることを特徴とする請求項１または２に記載の商品探索掲示板装置。
【請求項４】
ユーザ端末から商品探索の依頼投稿を受け付ける依頼投稿受付工程と、
他のユーザ端末から前記依頼投稿に対する推薦投稿を受け付け、当該推薦投稿に含まれる商品ページアドレスに、推薦投稿を行ったユーザの識別子を含む追跡用情報を埋め込む推薦投稿受付工程と、
前記推薦投稿に含まれる商品ページアドレスが示す商品ページを介した購入実績を前記追跡用情報により識別し、前記推薦投稿を行ったユーザに報酬を付与するアフィリエイト管理工程と
を備えたことを特徴とする商品探索掲示板制御方法。
【発明の詳細な説明】
【技術分野】
【０００１】
本発明は、インターネット等のネットワーク上に構築されるサイトの制御技術に関する。
【背景技術】
【０００２】
インターネット上の電子掲示板等においては、「こんな商品を探しています！〜〜」といった商品探索の依頼記事の書き込みがよく見られる。
【０００３】
このような商品探索の依頼記事を見た他のユーザは、条件に合う商品を知っている場合、その商品の説明や、その商品の購入が可能なショッピングサイトのＵＲＬ（Uniform  Resource  Locator）等を返答記事として書き込む。
【０００４】
依頼記事を書き込んだユーザ、あるいはその記事を閲覧した他のユーザは、返答記事にある商品の推薦を見た結果、記載されたショッピングサイトにアクセスし、その商品を気に入れば購入に至る。一般に、他人に依頼して得た推薦の情報であるため、購入に至る可能性は高いものとなる。
【先行技術文献】
【特許文献】
【０００５】
【特許文献１】特開２００９−５８９８８号公報
【発明の概要】
【発明が解決しようとする課題】
【０００６】
上述したように、商品探索を依頼するユーザのニーズは強く、推薦に基づく購入の可能性は極めて高いものであるが、依頼に応えて推薦する側のユーザにはインセンティブが何もなく、あくまでもボランティアとして回答するものである。従って、献身的なユーザが書き込むだけであるため、十分な数の推薦が行われないという問題があった。
【０００７】
この点、商品を推薦することで推薦した側に利益が還元されるアフィリエイトの仕組が存在する（例えば、特許文献１参照。）。しかし、一般に、アフィリエイトに参加するための手続を行った上で、専用のバナー等を自分の記事に貼り付ける等の作業を行わなければならず、簡単に行えるものではなかった。
【０００８】
本発明は上記の従来の問題点に鑑み提案されたものであり、その目的とするところは、面倒な操作を行うことなく、商品探索依頼に対して商品の推薦を行うだけで自動的にアフィリエイトの設定を行うことのできる商品探索掲示板装置を提供することにある。
【課題を解決するための手段】
【０００９】
上記の課題を解決するため、本発明にあっては、請求項１に記載されるように、ユーザ端末から商品探索の依頼投稿を受け付ける依頼投稿受付手段と、他のユーザ端末から前記依頼投稿に対する推薦投稿を受け付け、当該推薦投稿に含まれる商品ページアドレスに、推薦投稿を行ったユーザの識別子を含む追跡用情報を埋め込む推薦投稿受付手段と、前記推薦投稿に含まれる商品ページアドレスが示す商品ページを介した購入実績を前記追跡用情報により識別し、前記推薦投稿を行ったユーザに報酬を付与するアフィリエイト管理手段とを備える商品探索掲示板装置を要旨としている。
【００１０】
また、請求項１に記載の商品探索掲示板装置において、前記推薦投稿受付手段は、前記推薦投稿および前記追跡用情報が埋め込まれた商品ページアドレスに対するリンクを含む記事閲覧ページをユーザ端末に表示させるようにすることができる。
【００１１】
また、請求項１または２に記載の商品探索掲示板装置において、前記推薦投稿受付手段は、前記追跡用情報が埋め込まれた商品ページアドレスを、携帯端末が備えるコード読取手段により読み取り可能なコードに変換し、その変換されたコードを含む記事閲覧ページをユーザ端末に表示させるようにすることができる。
【００１２】
また、商品探索掲示板装置を、請求項４に記載されるように、ユーザ端末から商品探索の依頼投稿を受け付ける依頼投稿受付工程と、他のユーザ端末から前記依頼投稿に対する推薦投稿を受け付け、当該推薦投稿に含まれる商品ページアドレスに、推薦投稿を行ったユーザの識別子を含む追跡用情報を埋め込む推薦投稿受付工程と、前記推薦投稿に含まれる商品ページアドレスが示す商品ページを介した購入実績を前記追跡用情報により識別し、前記推薦投稿を行ったユーザに報酬を付与するアフィリエイト管理工程とを備える商品探索掲示板制御方法として構成することができる。
【発明の効果】
【００１３】
本発明の商品探索掲示板装置にあっては、面倒な操作を行うことなく、商品探索依頼に対して商品の推薦を行うだけで自動的にアフィリエイトの設定を行うことができるため、商品探索利用とアフィリエイト利用の相乗的な活性化が期待できる。
【図面の簡単な説明】
【００１４】
【図１】本発明の一実施形態にかかるシステムの構成例を示す図である。
【図２】ユーザデータベースのデータ構造例を示す図である。
【図３】掲示板データベースのデータ構造例を示す図である。
【図４】アフィリエイト情報データベースのデータ構造例を示す図である。
【図５】購入履歴データベースのデータ構造例を示す図である。
【図６】商品探索掲示板サーバのハードウェア構成例を示す図である。
【図７】実施形態の処理例を示すシーケンス図（その１）である。
【図８】実施形態の処理例を示すシーケンス図（その２）である。
【図９】実施形態の処理例を示すシーケンス図（その３）である。
【図１０】ログインページの画面例を示す図である。
【図１１】依頼投稿ページの画面例を示す図である。
【図１２】記事閲覧ページの画面例を示す図である。
【図１３】推薦投稿ページの画面例を示す図である。
【図１４】記事閲覧ページの画面例を示す図である。
【図１５】本発明の他の実施形態にかかるシステムの構成例を示す図である。
【図１６】他の実施形態の処理例を示すシーケンス図（その２）である。
【図１７】他の実施形態の処理例を示すシーケンス図（その３）である。
【図１８】他の実施形態の記事閲覧ページの画面例を示す図である。
【図１９】コードの読み取り結果の画面例を示す図である。
【発明を実施するための形態】
【００１５】
以下、本発明の好適な実施形態につき説明する。
【００１６】
＜構成＞
図１は本発明の一実施形態にかかるシステムの構成例を示す図である。
【００１７】
図１において、インターネット等のネットワーク１には、ユーザが操作するＰＣ（Personal  Computer）、携帯電話、ＰＤＡ（Personal  Digital  Assistants）等のユーザ端末２Ａ〜２Ｃが接続されている。ユーザ端末２Ａ〜２Ｃは、一般的なブラウザ（Ｗｅｂブラウザ）２１Ａ〜２１Ｃを備えている。ブラウザ２１Ａ〜２１Ｃは、インターネットの標準プロトコルであるＨＴＴＰ（Hyper  Text  Transfer  Protocol）等に従い、ＨＴＭＬ（HyperText  Markup  Language）等の言語で記述されたページデータの要求・取得・表示およびフォームデータの送信等を行う機能を有している。
【００１８】
一方、ネットワーク１には、ユーザの操作するユーザ端末２Ａ〜２Ｃのブラウザ２１Ａ〜２１Ｃからのアクセスに対して商品探索掲示板の管理を行う商品探索掲示板サーバ３と商品販売の管理を行うショッピングサーバ４とが接続されている。
【００１９】
商品探索掲示板サーバ３は、機能部として、ログイン部３１と依頼投稿受付部３２と記事閲覧部３３と推薦投稿受付部３４とアフィリエイト管理部３５とを備えている。これらの機能部は、商品探索掲示板サーバ３を構成するコンピュータのＣＰＵ（Central  Processing  Unit）、ＲＯＭ（Read  Only  Memory）、ＲＡＭ（Random  Access  Memory）等のハードウェア資源上で実行されるコンピュータプログラムによって実現されるものである。これらの機能部は、単一のコンピュータ上に配置される必要はなく、必要に応じて分散される形態であってもよい。
【００２０】
推薦投稿受付部３４は、アフィリエイト情報抽出部３４１と誘導ＵＲＬ生成部３４２と推薦投稿処理部３４３とを備えている。
【００２１】
アフィリエイト管理部３５は、購入履歴取得部３５１とアフィリエイト情報特定部３５２と課金処理部３５３とを備えている。
【００２２】
また、商品探索掲示板サーバ３が参照するデータベースとして、ユーザデータベース３０１と掲示板データベース３０２とアフィリエイト情報データベース３０３とが設けられている。ショッピングサーバ４には、購入履歴データベース４０１が設けられている。これらのデータベースは、データベースを保持するコンピュータ内のＨＤＤ（Hard  Disk  Drive）等の記憶媒体上に所定のデータを体系的に保持するものである。
【００２３】
図２はユーザデータベース３０１のデータ構造例を示す図であり、「ユーザＩＤ」「パスワード」「表記名」「アフィリエイト課金額」等の項目を有している。「ユーザＩＤ」は予め登録されたユーザを識別する情報である。「パスワード」はログイン時に必要な秘密情報である。「表記名」は掲示板上のユーザ名として表示される名称である。「アフィリエイト課金額」は当該ユーザに対するアフィリエイトの報酬の累積値である。なお、「アフィリエイト課金額」はユーザデータベース３０１とは別のデータベースにより管理してもよい。また、ユーザデータベース３０１は、複数のサービスに対して共通に用いられる場合、商品探索掲示板サーバ３とは独立に配置することができる。
【００２４】
図３は掲示板データベース３０２のデータ構造例を示す図であり、「記事ＩＤ」「依頼投稿日時」「依頼投稿内容」「推薦投稿日時」「推薦投稿内容」等の項目を有している。「記事ＩＤ」は、記事を識別する情報である。「依頼投稿日時」は、当該記事の依頼投稿が行われた日時である。依頼投稿とは、商品探索の依頼を行う内容の投稿である。「依頼投稿内容」は、依頼投稿の内容（文字列、画像等）である。「推薦投稿日時」は、当該記事の推薦投稿が行われた日時である。推薦投稿とは、依頼投稿への返答であって、探索している商品についての推薦を含む投稿である。「推薦投稿内容」は、推薦投稿の内容（文字列、画像等）である。
【００２５】
図４はアフィリエイト情報データベース３０３のデータ構造例を示す図であり、「アフィリエイトＩＤ」「推薦商品ＵＲＬ」「推薦者ユーザＩＤ」「掲示板ＩＤ」「サーバＵＲＬ」等の項目を有している。「アフィリエイトＩＤ」は、アフィリエイト情報の１単位のデータを識別する情報である。「推薦商品ＵＲＬ」は、推薦投稿において推薦対象となった商品の掲載ページのＵＲＬである。「推薦者ユーザＩＤ」は、推薦投稿を行った推薦者のユーザＩＤである。「掲示板ＩＤ」は、推薦投稿を行った掲示板を識別する情報である。「サーバＵＲＬ」は、商品探索掲示板サーバ３のＵＲＬである。
【００２６】
図５は購入履歴データベース４０１のデータ構造例を示す図であり、「購入日時」「購入者ユーザＩＤ」「購入商品ＩＤ」「購入金額」「アフィリエイトＩＤ」等の項目を有している。「購入日時」は、商品の購入を行った日時である。「購入者ユーザＩＤ」は、商品の購入者のユーザＩＤである。「購入商品ＩＤ」は、購入された商品を識別する情報である。「購入金額」は、商品の購入金額である。「アフィリエイトＩＤ」は、購入時のアクセスＵＲＬにＵＲＬパラメータとして付加されていたアフィリエイトＩＤである。
【００２７】
図１に戻り、ログイン部３１は、ユーザ端末２Ａ〜２Ｃのブラウザ２１Ａ〜２１Ｃからのアクセスに対し、投稿を行う前の段階においてログイン処理を行う機能を有している。
【００２８】
依頼投稿受付部３２は、ユーザ端末２Ａ〜２Ｃのブラウザ２１Ａ〜２１Ｃから依頼投稿を受け付け、依頼投稿の内容を掲示板データベース３０２に登録する機能を有している。
【００２９】
記事閲覧部３３は、ユーザ端末２Ａ〜２Ｃのブラウザ２１Ａ〜２１Ｃから、掲示板データベース３０２に登録された記事の閲覧を行わせる機能を有している。
【００３０】
推薦投稿受付部３４は、ユーザ端末２Ａ〜２Ｃのブラウザ２１Ａ〜２１Ｃから推薦投稿を受け付け、推薦投稿の内容を掲示板データベース３０２に登録する機能を有している。
【００３１】
アフィリエイト情報抽出部３４１は、受け付けた推薦投稿の内容からアフィリエイト情報を抽出してアフィリエイト情報データベース３０３に登録する機能を有している。
【００３２】
誘導ＵＲＬ生成部３４２は、受け付けた推薦投稿の内容と抽出したアフィリエイト情報から、推薦投稿の商品ページＵＲＬに置き換える誘導ＵＲＬを生成する機能を有している。
【００３３】
推薦投稿処理部３４３は、商品ページＵＲＬを誘導ＵＲＬで置き換えた推薦投稿の内容を掲示板データベース３０２に登録する機能を有している。
【００３４】
アフィリエイト管理部３５は、ショッピングサーバ４から購入履歴を取得し、アフィリエイト情報と関連付けられた購入履歴から、推薦者に課金（報酬付与）を行う機能を有している。
【００３５】
購入履歴取得部３５１は、ショッピングサーバ４の購入履歴データベース４０１から購入履歴を取得する機能を有している。
【００３６】
アフィリエイト情報特定部３５２は、購入履歴からアフィリエイト情報を検出する機能を有している。
【００３７】
課金処理部３５３は、ユーザデータベース３０１上の推薦者に課金（報酬付与）を行う機能を有している。
【００３８】
図６は商品探索掲示板サーバ３のハードウェア構成例を示す図である。
【００３９】
図６において、商品探索掲示板サーバ３は、システムバス３００１に接続されたＣＰＵ３００２、ＲＯＭ３００３、ＲＡＭ３００４、ＮＶＲＡＭ（Non-Volatile  Random  Access  Memory）３００５、Ｉ／Ｆ（Interface）３００６と、Ｉ／Ｆ３００６に接続された、キーボード、マウス、モニタ、ＣＤ／ＤＶＤ（Compact  Disk/Digital  Versatile  Disk）ドライブ等のＩ／Ｏ（Input/Output  Device）３００７、ＨＤＤ３００８、ＮＩＣ（Network  Interface  Card）３００９等を備えている。Ｍはプログラムもしくはデータが格納されたＣＤ／ＤＶＤ等のメディア（記録媒体）である。
【００４０】
＜動作＞
図７〜図９は上記の実施形態の処理例を示すシーケンス図である。
【００４１】
図７において、ユーザ端末２Ａのユーザが依頼投稿を行なう場合、ユーザ端末２Ａのブラウザ２１Ａから商品探索掲示板サーバ３の依頼投稿受付部３２にアクセスして依頼投稿ページ要求を行なう（ステップＳ１０１）。ページ要求は、インターネットの標準プロトコルであるＨＴＴＰに従ったＧＥＴメソッドとリクエストＵＲＩ（Uniform  Resource  Indicator）等を含むメッセージがユーザ端末２Ａのブラウザ２１Ａから商品探索掲示板サーバ３の依頼投稿受付部３２に送信されることで行なわれる。
【００４２】
依頼投稿ページ要求には、既にログイン済みである場合にはセッションＩＤ等を示すＵＲＬパラメータが付加され、あるいは商品探索掲示板サーバ３側からブラウザ２１ＡにセッションＩＤ等を示すクッキーの読込を行うことでログイン済みであるかどうかを確認することができる。
【００４３】
ここでは、未だログインされていないものとすると、商品探索掲示板サーバ３の依頼投稿受付部３２は、ログイン部３１に未ログインを通知する（ステップＳ１０２）。依頼投稿受付部３２とログイン部３１の間の通信は商品探索掲示板サーバ３内の通信であるため、任意のデータ形式とすることができる。
【００４４】
これを受け、商品探索掲示板サーバ３のログイン部３１は、ユーザ端末２Ａのブラウザ２１Ａにログインページを送信する（ステップＳ１０３）。ページデータはＨＴＴＰのレスポンス等に従って商品探索掲示板サーバ３のログイン部３１からユーザ端末２Ａのブラウザ２１Ａに送信される。
【００４５】
ユーザ端末２Ａのブラウザ２１Ａは、ログインページを表示する（ステップＳ１０４）。図１０はログインページの画面例を示す図であり、ユーザＩＤとパスワードの入力欄が設けられ、これらの入力欄に文字・数字を入力して「ログイン」ボタンを押下することで入力が完了する。
【００４６】
図７に戻り、ユーザ端末２ＡのユーザがログインページにユーザＩＤとパスワードを入力すると（ステップＳ１０５）、ユーザ端末２Ａのブラウザ２１Ａから商品探索掲示板サーバ３のログイン部３１に入力内容が送信される（ステップＳ１０６）。入力内容はＨＴＴＰのＰＯＳＴメソッドあるいはＰＵＴメソッド等に付加されたＨＴＭＬ等のデータあるいはＧＥＴメソッド等に付加されたパラメータとしてユーザ端末２Ａのブラウザ２１Ａから商品探索掲示板サーバ３のログイン部３１に送信される。
【００４７】
商品探索掲示板サーバ３のログイン部３１は、受信したユーザＩＤとパスワードの対がユーザデータベース３０１（図２）に登録されているか否か照合を行い（ステップＳ１０７）、登録されている場合にはログイン完了の旨を依頼投稿受付部３２に通知する（ステップＳ１０８）。ログイン部３１と依頼投稿受付部３２の間の通信は商品探索掲示板サーバ３内の通信であるため、任意のデータ形式とすることができる。
【００４８】
これを受け、商品探索掲示板サーバ３の依頼投稿受付部３２は、ユーザ端末２Ａのブラウザ２１Ａに依頼投稿ページを送信する（ステップＳ１０９）。ページデータはＨＴＴＰのレスポンス等に従って商品探索掲示板サーバ３の依頼投稿受付部３２からユーザ端末２Ａのブラウザ２１Ａに送信される。また、依頼投稿ページにはセッションＩＤが伴われ、その後のユーザ端末２Ａのブラウザ２１Ａから商品探索掲示板サーバ３へのアクセスＵＲＬにはセッションＩＤを示すＵＲＬパラメータが付加される。あるいは、商品探索掲示板サーバ３側からブラウザ２１ＡにセッションＩＤを示すクッキーの書込が行われる。
【００４９】
ユーザ端末２Ａのブラウザ２１Ａは、依頼投稿ページを表示する（ステップＳ１１０）。図１１は依頼投稿ページの画面例を示す図であり、探している商品についての依頼文を入力する欄が設けられており、「投稿」ボタンを押下することで入力が完了する。
【００５０】
図７に戻り、ユーザ端末２Ａのユーザが依頼投稿ページに依頼内容を入力すると（ステップＳ１１１）、ユーザ端末２Ａのブラウザ２１Ａから商品探索掲示板サーバ３の依頼投稿受付部３２に入力内容が送信される（ステップＳ１１２）。入力内容はＨＴＴＰのＰＯＳＴメソッドあるいはＰＵＴメソッド等に付加されたＨＴＭＬ等のデータあるいはＧＥＴメソッド等に付加されたパラメータとしてユーザ端末２Ａのブラウザ２１Ａから商品探索掲示板サーバ３の依頼投稿受付部３２に送信される。
【００５１】
商品探索掲示板サーバ３の依頼投稿受付部３２は、受信した依頼投稿の内容を掲示板データベース３０２に登録する（ステップＳ１１３）。すなわち、新たに発行した記事ＩＤと依頼投稿日時と依頼投稿内容を掲示板データベース３０２（図３）の新たなレコードに設定する。
【００５２】
次に、図８において、ユーザ端末２Ｂのユーザが記事の閲覧を行なう場合、ユーザ端末２Ｂのブラウザ２１Ｂから商品探索掲示板サーバ３の記事閲覧部３３にアクセスして記事閲覧ページ要求を行う（ステップＳ１２１）。この要求は、インターネットの標準プロトコルであるＨＴＴＰに従ったＧＥＴメソッドとリクエストＵＲＩ等を含むメッセージがユーザ端末２Ｂのブラウザ２１Ｂから商品探索掲示板サーバ３の記事閲覧部３３に送信されることで行なわれる。
【００５３】
これを受け、商品探索掲示板サーバ３の記事閲覧部３３は、掲示板データベース３０２から記事内容を取得し、記事閲覧ページをユーザ端末２Ｂのブラウザ２１Ｂに送信する（ステップＳ１２２）。ページデータはＨＴＴＰのレスポンス等に従って商品探索掲示板サーバ３の記事閲覧部３３からユーザ端末２Ｂのブラウザ２１Ｂに送信される。
【００５４】
ユーザ端末２Ｂのブラウザ２１Ｂは、記事閲覧ページを表示する（ステップＳ１２３）。図１２は記事閲覧ページの画面例を示す図であり、依頼者Ａさんが依頼投稿した記事が表示されており、「推薦投稿」ボタンを押下することで推薦投稿が行えるようになっている。
【００５５】
図８に戻り、ユーザ端末２Ｂのユーザが推薦投稿を選択すると（ステップＳ１２４）、ユーザ端末２Ｂのブラウザ２１Ｂから商品探索掲示板サーバ３の推薦投稿受付部３４に推薦投稿ページ要求が行われる（ステップＳ１２５）。この要求は、インターネットの標準プロトコルであるＨＴＴＰに従ったＧＥＴメソッドとリクエストＵＲＩ等を含むメッセージがユーザ端末２Ｂのブラウザ２１Ｂから商品探索掲示板サーバ３の推薦投稿受付部３４に送信されることで行なわれる。
【００５６】
推薦投稿ページ要求には、既にログイン済みである場合にはセッションＩＤ等を示すＵＲＬパラメータが付加され、あるいは商品探索掲示板サーバ３側からブラウザ２１ＢにセッションＩＤ等を示すクッキーの読込を行うことでログイン済みであるかどうかを確認することができる。
【００５７】
ここでは、未だログインされていないものとすると、商品探索掲示板サーバ３の推薦投稿受付部３４は、ログイン部３１に未ログインを通知する（ステップＳ１２６）。推薦投稿受付部３４とログイン部３１の間の通信は商品探索掲示板サーバ３内の通信であるため、任意のデータ形式とすることができる。
【００５８】
これを受け、商品探索掲示板サーバ３のログイン部３１は、ユーザ端末２Ｂのブラウザ２１Ｂにログインページを送信する（ステップＳ１２７）。ページデータはＨＴＴＰのレスポンス等に従って商品探索掲示板サーバ３のログイン部３１からユーザ端末２Ｂのブラウザ２１Ｂに送信される。
【００５９】
ユーザ端末２Ｂのブラウザ２１Ｂはログインページを表示する（ステップＳ１２８）。ログインページは図１０に示したものと同様である。
【００６０】
図８に戻り、ユーザ端末２ＢのユーザがログインページにユーザＩＤとパスワードを入力すると（ステップＳ１２９）、ユーザ端末２Ｂのブラウザ２１Ｂから商品探索掲示板サーバ３のログイン部３１に入力内容が送信される（ステップＳ１３０）。入力内容はＨＴＴＰのＰＯＳＴメソッドあるいはＰＵＴメソッド等に付加されたＨＴＭＬ等のデータあるいはＧＥＴメソッド等に付加されたパラメータとしてユーザ端末２Ｂのブラウザ２１Ｂから商品探索掲示板サーバ３のログイン部３１に送信される。
【００６１】
商品探索掲示板サーバ３のログイン部３１は、受信したユーザＩＤとパスワードの対がユーザデータベース３０１（図２）に登録されているか否か照合を行い（ステップＳ１３１）、登録されている場合にはログイン完了の旨を推薦投稿受付部３４に通知する（ステップＳ１３２）。ログイン部３１と推薦投稿受付部３４の間の通信は商品探索掲示板サーバ３内の通信であるため、任意のデータ形式とすることができる。
【００６２】
これを受け、商品探索掲示板サーバ３の推薦投稿受付部３４は、ユーザ端末２Ｂのブラウザ２１Ｂに推薦投稿ページを送信する（ステップＳ１３３）。ページデータはＨＴＴＰのレスポンス等に従って商品探索掲示板サーバ３の推薦投稿受付部３４からユーザ端末２Ｂのブラウザ２１Ｂに送信される。また、推薦投稿ページにはセッションＩＤが伴われ、その後のユーザ端末２Ｂのブラウザ２１Ｂから商品探索掲示板サーバ３へのアクセスＵＲＬにはセッションＩＤを示すＵＲＬパラメータが付加される。あるいは、商品探索掲示板サーバ３側からブラウザ２１ＢにセッションＩＤを示すクッキーの書込が行われる。
【００６３】
ユーザ端末２Ｂのブラウザ２１Ｂは、推薦投稿ページを表示する（ステップＳ１３４）。図１３は推薦投稿ページの画面例を示す図であり、商品についての推薦文と商品ページのＵＲＬを入力する欄が設けられており、「投稿」ボタンを押下することで入力が完了する。商品ページのＵＲＬは文字列で入力してもいいし、同ＵＲＬが組み込まれたバナー等を貼り付けてもよい。
【００６４】
図８に戻り、ユーザ端末２Ｂのユーザが推薦投稿ページに依頼内容を入力すると（ステップＳ１３５）、ユーザ端末２Ｂのブラウザ２１Ｂから商品探索掲示板サーバ３の推薦投稿受付部３４に入力内容が送信される（ステップＳ１３６）。入力内容はＨＴＴＰのＰＯＳＴメソッドあるいはＰＵＴメソッド等に付加されたＨＴＭＬ等のデータあるいはＧＥＴメソッド等に付加されたパラメータとしてユーザ端末２Ｂのブラウザ２１Ｂから商品探索掲示板サーバ３の推薦投稿受付部３４に送信される。
【００６５】
商品探索掲示板サーバ３の推薦投稿受付部３４は、アフィリエイト情報抽出部３４１により、推薦投稿ページの入力内容からアフィリエイト情報を抽出してアフィリエイト情報データベース３０３に登録する（ステップＳ１３７）。すなわち、新たなアフィリエイトＩＤを発行し、商品ページのＵＲＬを推薦商品ＵＲＬとし、推薦者ユーザＩＤと掲示板ＩＤとサーバＵＲＬ等とともにアフィリエイト情報データベース３０３（図４）に登録する。
【００６６】
次いで、誘導ＵＲＬ生成部３４２により、誘導ＵＲＬを生成する（ステップＳ１３８）。すなわち、推薦に基づく商品購入をユーザとショッピングサーバの間で直接行わせ、購入の確認をショッピングサーバの購入履歴に基づいて行う場合には、誘導ＵＲＬとしては、商品ページＵＲＬにアフィリエイトＩＤをＵＲＬパラメータとして付加したものとする。また、推薦に基づく商品購入をユーザとショッピングサーバの間で直接行わせ、購入の確認をショッピングサーバから商品探索掲示板サーバ３への通知により行う場合には、誘導ＵＲＬとしては、商品ページＵＲＬに商品探索掲示板サーバ３のＵＲＬとアフィリエイトＩＤをＵＲＬパラメータとして付加したものとする。また、推薦に基づく商品購入を商品探索掲示板サーバ３が仲介して行う場合には、誘導ＵＲＬとしては、商品探索掲示板サーバ３のＵＲＬにアフィリエイトＩＤをＵＲＬパラメータとして付加したものとする。
【００６７】
次いで、推薦投稿処理部３４３により、推薦投稿の内容を掲示板データベース３０２に登録する（ステップＳ１３９）。すなわち、掲示板データベース３０２（図３）の該当するレコードの推薦投稿日時と推薦投稿内容を設定する。この場合、推薦投稿内容の商品ページＵＲＬは生成した誘導ＵＲＬに置き換える。
【００６８】
次に、図９において、ユーザ端末２Ｃのユーザが記事の閲覧を行なう場合、ユーザ端末２Ｃのブラウザ２１Ｃから商品探索掲示板サーバ３の記事閲覧部３３にアクセスして記事閲覧ページ要求を行う（ステップＳ１４１）。この要求は、インターネットの標準プロトコルであるＨＴＴＰに従ったＧＥＴメソッドとリクエストＵＲＩ等を含むメッセージがユーザ端末２Ｃのブラウザ２１Ｃから商品探索掲示板サーバ３の記事閲覧部３３に送信されることで行なわれる。
【００６９】
これを受け、商品探索掲示板サーバ３の記事閲覧部３３は、掲示板データベース３０２から記事内容を取得し、記事閲覧ページをユーザ端末２Ｃのブラウザ２１Ｃに送信する（ステップＳ１４２）。ページデータはＨＴＴＰのレスポンス等に従って商品探索掲示板サーバ３の記事閲覧部３３からユーザ端末２Ｃのブラウザ２１Ｃに送信される。
【００７０】
ユーザ端末２Ｃのブラウザ２１Ｃは、記事閲覧ページを表示する（ステップＳ１４３）。図１４は記事閲覧ページの画面例を示す図であり、依頼者Ａさんの依頼投稿と、推薦者Ｂさんの推薦投稿の内容が表示されており、ホットリンクとなっている商品ページＵＲＬを選択することでショッピングサーバにアクセスが行えるようになっている。
【００７１】
図９に戻り、ユーザ端末２Ｃのユーザが商品ページＵＲＬを選択すると（ステップＳ１４４）、ユーザ端末２Ｃのブラウザ２１Ｃからショッピングサーバ４に商品ページ要求が行われる（ステップＳ１４５）。この要求は、インターネットの標準プロトコルであるＨＴＴＰに従ったＧＥＴメソッドとリクエストＵＲＩ等を含むメッセージがユーザ端末２Ｃのブラウザ２１Ｃからショッピングサーバ４に送信されることで行なわれる。
【００７２】
これを受け、ショッピングサーバ４からは該当する商品ページがユーザ端末２Ｃのブラウザ２１Ｃに送信される（ステップＳ１４６）。ページデータはＨＴＴＰのレスポンス等に従ってショッピングサーバ４からユーザ端末２Ｃのブラウザ２１Ｃに送信される。
【００７３】
その後、ユーザ端末２Ｃのユーザが商品ページを見て気に入った場合、ユーザ端末２Ｃのブラウザ２１Ｃとショッピングサーバ４の間で購入処理を行い（ステップＳ１４７）、購入が完了すると、ショッピングサーバ４は購入履歴データベース４０１に購入履歴を登録する（ステップＳ１４８）。
【００７４】
その後、バッチ処理等において、商品探索掲示板サーバ３のアフィリエイト管理部３５は、購入履歴取得部３５１により、ショッピングサーバ４から購入履歴を取得する（ステップＳ１５１、Ｓ１５２）。
【００７５】
次いで、アフィリエイト情報特定部３５２により、購入履歴からアフィリエイトＩＤを検出することでアフィリエイト情報を特定し（ステップＳ１５３）、ユーザデータベース３０１から推薦者に該当するユーザを特定し、購入金額等に応じた値のアフィリエイト課金を行う（ステップＳ１５４）。
【００７６】
なお、推薦に基づく商品購入をユーザとショッピングサーバ４の間で直接行わせ、購入の確認をその後にショッピングサーバ４の購入履歴に基づいて行う場合について説明したが、ショッピングサーバ４における商品購入完了時に商品探索掲示板サーバ３に対してアフィリエイトＩＤと購入金額等を含む通知を行わせ、この通知に基づいて推薦者にアフィリエイト課金を行うこともできる。また、推薦に基づく商品購入を商品探索掲示板サーバ３が仲介して行うこともできる。この場合、ユーザからはいったん商品探索掲示板サーバ３にアクセスさせ、ユーザとショッピングサーバ４の間の処理を商品探索掲示板サーバ３が仲介する。その過程で商品購入が行われた場合、推薦者にアフィリエイト課金を行う。
【００７７】
＜他の実施形態＞
上述した実施形態（以下、第１実施形態という）では、ユーザ端末２からショッピングサーバ４に対する誘導ＵＲＬを用いたアクセスを、記事閲覧ページ（図１４）内に表示させたリンクを介して行うようにした。つまり、図１４に示すように、記事閲覧ページ内に、リンクとして、誘導ＵＲＬに含まれる商品ページＵＲＬを表示させる。そして、上記表示されたリンクがユーザによりクリックされるなどして選択されると、ショッピングサーバにアクセスが行われ、ＵＲＬにより指定された商品ページにジャンプする、という具合である。
【００７８】
しかしながら、ユーザ端末２からショッピングサーバ４へのアクセスは、上述した手法に限られるものではなく、以下で説明する手法を採用することによっても実現することができる。前述した第１実施形態では、表示されたリンクを介してショッピングサーバへのアクセスを行うため、いったん、デスクトップＰＣなどの携帯に不向きなユーザ端末を使用して上記リンク（商品ページＵＲＬ）を表示させてしまうと、その後に、ユーザが外出先でショッピングサーバにアクセスしたいと考えたとしても、それを実現することが難しい。そこで、以下で説明するもうひとつの実施形態（以下、第２実施形態という）では、いったん、デスクトップＰＣなどの携帯に不向きなユーザ端末を使用して上記リンク（商品ページＵＲＬ）を表示させたとしても、その後、携帯電話などの携帯可能なユーザ端末を使用して、いつでもどこでも、ショッピングサーバにアクセスすることが可能となる仕組みを採用した。
【００７９】
つまり、デスクトップＰＣなどの携帯に不向きなユーザ端末と、携帯電話などの携帯可能なユーザ端末との間で、誘導ＵＲＬのリンクを共有可能とする仕組みであり、具体的には、誘導ＵＲＬをバーコードや２次元コードなどのコードに変換し、そのコードを記事閲覧ページ内に表示させ、携帯電話などのユーザ端末が備えるコード読取部（例えば、携帯電話に内蔵されたバーコード・リーダー）によって読み取らせることによって、ショッピングサーバ４へのアクセスを行うようにする。
【００８０】
尚、以下で説明する第２実施形態において、前述した第１実施形態と同じ名称や符号が付けられた構成要素や処理については、基本的に第１実施形態において説明したものと同様である。これらについては、便宜上、必要に応じて説明を省略するものとする。
【００８１】
図１５は、第２実施形態のシステムの構成例を示す図である。
【００８２】
図１５において、インターネット等のネットワーク１には、ユーザが操作するユーザ端末２Ａ〜２Ｄが接続されている。ユーザ端末２Ｄは、携帯電話等のユーザが携帯可能な端末装置である。ユーザ端末２Ｄは、一般的なブラウザ（Ｗｅｂブラウザ）２１Ｄを備えるとともに、コード読取部２２を備えている。
【００８３】
コード読取部２２は、カメラを有し、バーコードや２次元コードなどのコードをカメラによって読み取り、読み取ったコードを認識して、ＵＲＬなどのテキストデータに変換する処理を行う機能を有している。
【００８４】
また、一方で、ネットワーク１には、ユーザ端末２Ａ〜２Ｄのブラウザ２１Ａ〜２１Ｄからのアクセスに対して商品探索掲示板の管理を行う商品探索掲示板サーバ３と商品販売の管理を行うショッピングサーバ４とが接続されている。
【００８５】
第２実施形態の商品探索掲示板サーバ３が備える機能部は、第１実施形態と基本的には同様であるが、第２実施形態の推薦投稿受付部３４は、アフィリエイト情報抽出部３４１と誘導ＵＲＬ生成部３４２と推薦投稿処理部３４３とに加え、さらにコード変換部３４４を備えている。
【００８６】
コード変換部３４４は、誘導ＵＲＬ生成部３４２により生成された誘導ＵＲＬをコードに変換する機能を有している。なお、コードの例としては、２次元コードの１態様であるＱＲコード（登録商標）を採用する。
【００８７】
また、第２実施形態の推薦投稿処理部３４３は、商品ページＵＲＬを誘導ＵＲＬに置き換えるとともに、誘導ＵＲＬから変換したコードを追加した推薦投稿の内容を掲示板データベース３０２に登録する機能を有している。
【００８８】
図１６および図１７は第２実施形態の処理例を示すシーケンス図である。
【００８９】
図１６において、ユーザ端末２Ｂのユーザが記事の閲覧を行う場合、ユーザ端末２Ｂのブラウザ２１Ｂから商品探索掲示板サーバ３の記事閲覧部３３にアクセスして記事閲覧ページ要求を行う（ステップＳ１２１）。
【００９０】
これを受け、商品探索掲示板サーバ３の記事閲覧部３３は、掲示板データベース３０２から記事内容を取得し、記事閲覧ページをユーザ端末２Ｂのブラウザ２１Ｂに送信する（ステップＳ１２２）。
【００９１】
ユーザ端末２Ｂのブラウザ２１Ｂは、記事閲覧ページ（図１２）を表示する（ステップＳ１２３）。続いて、ユーザ端末２Ｂのユーザが推薦投稿を選択すると（ステップＳ１２４）、ユーザ端末２Ｂのブラウザ２１Ｂから商品探索掲示板サーバ３の推薦投稿受付部３４に推薦投稿ページ要求が行われる（ステップＳ１２５）。
【００９２】
ログインが完了すると（ステップＳ１２６〜Ｓ１３２）、商品探索掲示板サーバ３の推薦投稿受付部３４は、ユーザ端末２Ｂのブラウザ２１Ｂに推薦投稿ページを送信する（ステップＳ１３３）。
【００９３】
ユーザ端末２Ｂのブラウザ２１Ｂは、推薦投稿ページ（図１３）を表示する（ステップＳ１３４）。ユーザ端末２Ｂのユーザが推薦投稿ページに依頼内容を入力すると（ステップＳ１３５）、ユーザ端末２Ｂのブラウザ２１Ｂから商品探索掲示板サーバ３の推薦投稿受付部３４に入力内容が送信される（ステップＳ１３６）。
【００９４】
商品探索掲示板サーバ３の推薦投稿受付部３４は、アフィリエイト情報抽出部３４１により、推薦投稿ページの入力内容からアフィリエイト情報を抽出してアフィリエイト情報データベース３０３に登録する（ステップＳ１３７）。すなわち、新たなアフィリエイトＩＤを発行し、商品ページのＵＲＬを推薦商品ＵＲＬとし、推薦者ユーザＩＤと掲示板ＩＤとサーバＵＲＬ等とともにアフィリエイト情報データベース３０３（図４）に登録する。
【００９５】
次いで、誘導ＵＲＬ生成部３４２により、誘導ＵＲＬを生成する（ステップＳ１３８）。例えば、推薦に基づく商品購入をユーザとショッピングサーバの間で直接行わせ、購入の確認をショッピングサーバの購入履歴に基づいて行う場合であれば、誘導ＵＲＬとして、商品ページＵＲＬにアフィリエイトＩＤをＵＲＬパラメータとして付加したものを生成する。
【００９６】
次いで、コード変換部３４４により、生成された誘導ＵＲＬをコードに変換する（ステップＳ１３９）。例えば、商品ページＵＲＬが「http://storeA.co.jp/item001.html」であり、アフィリエイトＩＤが「affili=id001」であるとすると、生成された誘導ＵＲＬは「http://storeA.co.jp/item001.html/affili=id001」であり、これをテキストとしてＱＲコードに変換する。なお、テキストをＱＲコードに変換する処理自体については、公知の技術が採用できるため、説明を省略する。
【００９７】
次に、推薦投稿処理部３４３は、推薦投稿の内容を掲示板データベース３０２に登録する（ステップＳ１４０）。すなわち、掲示板データベース３０２（図３）の該当するレコードの推薦投稿日時と推薦投稿内容を設定する。この場合、推薦投稿内容に含まれる商品ページＵＲＬは生成した誘導ＵＲＬに置き換える。また、誘導ＵＲＬを変換したコードを推薦投稿内容に追加して設定する。
【００９８】
続いて、図１７を参照して、ユーザ端末２Ｃおよびユーザ端末２Ｄを使用するユーザが、先ずユーザ端末２Ｃにより記事の閲覧を行い、その後、ユーザ端末２Ｄにより推薦商品の購入を行う場合についての処理例を説明する。
【００９９】
まず、ユーザ端末２Ｃのブラウザ２１Ｃから、商品探索掲示板サーバ３の記事閲覧部３３にアクセスして記事閲覧ページ要求を行う（ステップＳ１４１）。
【０１００】
これを受け、商品探索掲示板サーバ３の記事閲覧部３３は、掲示板データベース３０２から記事内容を取得し、記事閲覧ページをユーザ端末２Ｃのブラウザ２１Ｃに送信する（ステップＳ１４２）。
【０１０１】
ユーザ端末２Ｃのブラウザ２１Ｃは、記事閲覧ページを表示する（ステップＳ１４３）。ここで、図１８は、第２実施形態における記事閲覧ページの画面例を示す図である。第２実施形態の記事閲覧ページでは、依頼者Ａさんの依頼投稿と、推薦者Ｂさんの推薦投稿の内容が表示されている。
【０１０２】
推薦投稿の内容としては、ユーザにより投稿された商品ページＵＲＬ（例えば、http://storeA.co.jp/item001.html）が表示され、これが誘導ＵＲＬ（例えば、http://storeA.co.jp/item001.html/affili=id001）と紐付けられたリンクとして設定されている。そして、推薦投稿の内容として、さらに、誘導ＵＲＬをＱＲコードに変換したものがイメージとして表示されている。これにより、ユーザは、リンクとなっている商品ページＵＲＬをクリックするなどにより選択することに加えて、ＱＲコードをユーザ端末２Ｄのコード読取部２２により読み取ることで、ショッピングサーバにアクセスが行えるようになる。
【０１０３】
図１７に戻り、ユーザ端末２ＤのユーザによりＱＲコードが選択され、ユーザ端末２Ｄのコード読取部２２がコードを読み取る（ステップＳ１４４−１）。つまり、コード読取部２２は、カメラによりＱＲコードを取得すると、これを認識し、ＱＲコードに変換されていた誘導ＵＲＬをテキストデータに復元する処理を行う。次に、ユーザ端末２Ｄは、復元した誘導ＵＲＬをディスプレイ上に表示する（ステップＳ１４４−２）。
【０１０４】
ここで、図１９は、ＱＲコードの読取結果画面例を示す図である。誘導ＵＲＬの全部「http://storeA.co.jp/item001.html/affili=id001」がテキストとして表示され、かつ、これが誘導ＵＲＬ自体に紐付けられたリンクとして設定されている。ユーザは、表示されたリンクを選択することにより、ショッピングサーバにアクセスが行えるようになり、指定された商品ページにジャンプすることが可能となる。
【０１０５】
図１７に戻り、誘導ＵＲＬがユーザにより選択されると、ユーザ端末２Ｄからショッピングサーバ４に商品ページ要求が行われる（ステップＳ１４５）。この要求は、インターネットの標準プロトコルであるＨＴＴＰに従ったＧＥＴメソッドとリクエストＵＲＩ等を含むメッセージがユーザ端末２Ｄからショッピングサーバ４に送信されることで行なわれる。
【０１０６】
これを受け、ショッピングサーバ４からは該当する商品ページがユーザ端末２Ｄのブラウザ２１Ｄに送信される（ステップＳ１４６）。ページデータはＨＴＴＰのレスポンス等に従ってショッピングサーバ４からユーザ端末２Ｄのブラウザ２１Ｄに送信される。
【０１０７】
その後、ユーザ端末２Ｄのユーザが商品ページを見て気に入った場合、ユーザ端末２Ｄのブラウザ２１Ｄとショッピングサーバ４の間で購入処理を行い（ステップＳ１４７）、購入が完了すると、ショッピングサーバ４は購入履歴データベース４０１に購入履歴を登録する（ステップＳ１４８）。
【０１０８】
その後、バッチ処理等において、商品探索掲示板サーバ３のアフィリエイト管理部３５は、購入履歴取得部３５１により、ショッピングサーバ４から購入履歴を取得する（ステップＳ１５１、Ｓ１５２）。
【０１０９】
次いで、アフィリエイト情報特定部３５２により、購入履歴からアフィリエイトＩＤを検出することでアフィリエイト情報を特定し（ステップＳ１５３）、ユーザデータベース３０１から推薦者に該当するユーザを特定し、購入金額等に応じた値のアフィリエイト課金を行う（ステップＳ１５４）。
【０１１０】
＜総括＞
以上説明したように、本実施形態によれば、面倒な操作を行うことなく、商品探索依頼に対して商品の推薦を行うだけで自動的にアフィリエイトの設定を行うことができるため、商品探索利用とアフィリエイト利用の相乗的な活性化が期待できる。
【０１１１】
より具体的には、商品探索掲示板サーバ３は、ユーザ端末２において、推薦投稿ページ（図１３）の入力欄に、商品ページのＵＲＬが入力されると、その商品ページのＵＲＬに、アフィリエイトＩＤ（推薦者ユーザＩＤ、掲示板ＩＤ、サーバＵＲＬを一義的に特定可）を付加して、自動的にアフィリエイトを実現するための専用ＵＲＬ（つまり誘導ＵＲＬ）を生成するようにしている。
【０１１２】
したがって、ユーザは、推薦したい商品があった場合に、例えば、その商品ページのＵＲＬをコピーして入力欄にペーストする、という簡便な手順を踏むだけで、アフィリエイトサービスを利用することができるようになる。その結果、ユーザが商品を推薦しようという意思や行動にインセンティブが働き、また、推薦投稿の増加に伴い、推薦内容の質の点でユーザ間の競争も促される。また、同時に、商品を探してもらいたい、推薦してもらいたいという依頼者の増加にもつながる結果、商品探索の利用、商品購買の利用、アフィリエイトの利用が相乗的に活性化される仕組みを提供することができるようになる。
【０１１３】
また、第２実施形態のように、デスクトップＰＣなどの携帯に不向きなユーザ端末と、携帯電話などの携帯可能なユーザ端末との間で、誘導ＵＲＬのリンクを共有可能とする仕組みを採用した場合では、いったん、デスクトップＰＣなどの携帯に不向きなユーザ端末を使用して誘導ＵＲＬのリンクを表示させたとしても、その後、携帯電話などの携帯可能なユーザ端末を使用して、いつでもどこでも、ショッピングサーバにアクセスすることが可能となり、利便性を向上させることができる。
【０１１４】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【０１１５】
１      ネットワーク
２      ユーザ端末
２１    ブラウザ
３      商品探索掲示板サーバ
３１    ログイン部
３２    依頼投稿受付部
３３    記事閲覧部
３４    推薦投稿受付部
３４１  アフィリエイト情報抽出部
３４２  誘導ＵＲＬ生成部
３４３  推薦投稿処理部
３４４  コード変換部
３５    アフィリエイト管理部
３５１  購入履歴取得部
３５２  アフィリエイト情報特定部
３５３  課金処理部
３０１  ユーザデータベース
３０２  掲示板データベース
３０３  アフィリエイト情報データベース
４      ショッピングサーバ
４０１  購入履歴データベース
【図１】
2011003172.tif 000003
【図２】
2011003172.tif 000004
【図３】
2011003172.tif 000005
【図４】
2011003172.tif 000006
【図５】
2011003172.tif 000007
【図６】
2011003172.tif 000008
【図７】
2011003172.tif 000009
【図８】
2011003172.tif 000010
【図９】
2011003172.tif 000011
【図１０】
2011003172.tif 000012
【図１１】
2011003172.tif 000013
【図１２】
2011003172.tif 000014
【図１３】
2011003172.tif 000015
【図１４】
2011003172.tif 000016
【図１５】
2011003172.tif 000017
【図１６】
2011003172.tif 000018
【図１７】
2011003172.tif 000019
【図１８】
2011003172.tif 000020
【図１９】
2011003172.tif 000021